(57)【要約】【課題】設置コストの大幅な増加を招くことなく、状況に応じて選択された領域の照明を行うことができる照明システムを提供する。【解決手段】照明システム１は、一の筐体と、当該一の筐体に取り付けられた発光部１０と、発光部１０への電力供給路中に配設された回路部１５とを備える。回路部１５における制御回路１５３は、ユーザからの指示信号を受け付け、当該指示信号に基づき、第１発光モードと第２発光モードと含む複数の発光モードを選択的に実行する。第１発光モードでは、発光部１０におけるＬＥＤモジュール１０１，１０２を点灯させて第１領域に光を照射する。第２発光モードでは、発光部１０におけるＬＥＤモジュール１０３，１０４を点灯させて第２領域に光を照射する。ここで、照明システム１が設置されている空間において、第１領域と第２領域とは互いの中心位置が異なっている。【選択図】図１
2015138708.tif 000002
【特許請求の範囲】
【請求項１】
一の筐体と、
前記一の筐体に取り付けられ、半導体発光素子を有する発光部と、
前記発光部への電力供給路中に配設された回路部と、
を備え、
前記回路部は、ユーザからの指示信号を受け付け、当該指示信号に基づき、
前記発光部に対して、第１領域に対して光を照射させる第１発光モードと、
前記発光部に対して、第２領域に対して光を照射させる第２発光モードと、
を含む複数の発光モードを選択的に実行するものであり、
前記第１領域と前記第２領域とは、互いの中心位置が異なっている
照明システム。
【請求項２】
前記発光部は、それぞれが前記半導体発光素子を有し構成された第１発光要素と第２発光要素とを備え、
前記回路部は、前記指示信号に基づき、前記第１発光要素と前記第２発光要素とに対する電力供給路を切り替える切替機能部を備え、
前記第１発光モードでは、前記切替機能部の動作により、前記第１発光要素への電力供給路が閉状態、前記第２発光要素への電力供給路が開状態となることで、前記第１領域に対する光照射がなされ、
前記第２発光モードでは、前記切替機能部の動作により、前記第１発光要素への電力供給路が開状態、前記第２発光要素への電力供給路が閉状態となることで、前記第２領域に対する光照射がなされる
請求項１記載の照明システム。
【請求項３】
前記一の筐体は、造営面に対する取り付け構造を備え、
前記一の筐体に対する前記第１発光要素と前記第２発光要素との取り付け位置は、前記造営面に沿った方向において異なっている
請求項２記載の照明システム。
【請求項４】
前記一の筐体において、前記第１発光要素の取り付け領域である第１取付領域と、前記第２発光要素の取り付け領域である第２取付領域とは、前記造営面における前記筐体の取り付け面に対して、異なった角度を有する
請求項３記載の照明システム。
【請求項５】
前記回路部は、ユーザからの指示信号を受け付け、当該指示信号に基づき、
前記発光部に対して、前記第１領域および前記第２領域の両領域に対して光を照射させる第３発光モードも実行する
請求項１から請求項４の何れか記載の照明システム。
【請求項６】
前記一の筐体は、造営面に対する取り付け構造を備え、
前記発光部の光出射側は、レンズ部材で覆われており、
前記レンズ部材は、前記造営面に沿った方向において、前記発光部からの光の一部の進行方向を前記第１領域に向けて屈折させる第１レンズ領域と、前記発光部からの光の他の一部の進行方向を前記第２領域に向けて屈折させる第２レンズ領域と、を備える
請求項１から請求項５の何れか記載の照明システム。
【請求項７】
前記回路部は、壁スイッチを介して、ユーザからの指示信号を受け付ける
請求項１から請求項６の何れか記載の照明システム。
【請求項８】
前記第１領域および前記第２領域は、部屋の床面または側壁面にある
請求項１から請求項７の何れか記載の照明システム。
【発明の詳細な説明】
【技術分野】
【０００１】
本発明は、照明システムに関し、特に、半導体発光素子を備える照明システムに関する。
【背景技術】
【０００２】
近年、ＬＥＤ（Ｌｉｇｈｔ  Ｅｍｉｔｔｉｎｇ  Ｄｉｏｄｅ）をはじめとする半導体発光素子を用いた照明システムが普及しつつある。ここで、半導体発光素子を用いた照明システムは、省エネルギ化および長寿命化などの観点から優れている。
図１３に示すように、半導体発光素子を用いた照明システム９１についても、従来の蛍光ランプを用いた照明システムの代わりとして天井面などの造営面に取り付けられることがほとんどである。このため、天井面における部屋の略中央に照明システム９１が取り付けられる。また、照明システム９１へのＯＮ／ＯＦＦ信号の入力手段についても、既存の壁スイッチ９２が用いられることが多い。
【０００３】
ところで、部屋内部における特定の領域（例えば、デスク９３の面上における領域Ｅ）を選択的に照明したい場合には、例えば、別の照明システム９４と、これへのＯＮ／ＯＦＦ信号の入力手段としての壁スイッチ９５とを増設する必要が生じる。
このように、従来においては、屋内の領域毎の照明を行おうとする場合には、複数の照明システム９１，９４を設けることが必要であった。
【先行技術文献】
【特許文献】
【０００４】
【特許文献１】特開２００７−５９３５３号公報
【特許文献２】特開２０１３−１９６８８６号公報
【発明の概要】
【発明が解決しようとする課題】
【０００５】
しかしながら、図１３に示すような従来の構成では、照明しようとする領域毎に照明システムを設ける必要が生じる。そして、そのためには給電用の配線をその都度設ける必要が生じる。よって、従来技術の構成では、照明できる領域が、室内空間の設計段階で予め想定された領域に実質的に限定されてしまうことになる。また、照明しようとする領域が複数になると、その分だけ照明システムの数を増加させなければならず、設置コストの増加を招いてしまう。
【０００６】
本発明は、上記のような問題の解決を図るべくなされたものであって、設置コストの大幅な増加を招くことなく、状況に応じて選択された領域の照明を行うことができる照明システムを提供することを目的とする。
【課題を解決するための手段】
【０００７】
本発明の一態様に係る照明システムは、一の筐体と、発光部と、回路部とを備える。
発光部は、一の筐体に取り付けられ、半導体発光素子を有する。回路部は、発光部への電力供給路中に配設されている。
本態様に係る照明システムにおいて、回路部は、ユーザからの指示信号を受け付け、当該指示信号に基づき、次の２つの発光モードを含む複数の発光モードを選択的に実行する。
【０００８】
（第１発光モード）発光部に対して、第１領域に対して光を照射させる発光モード
（第２発光モード）発光部に対して、第２領域に対して光を照射させる発光モード
ここで、第１発光モードで照射対象となる第１領域と、第２発光モードで照射対象となる第２領域とは、互いの中心位置が異なっている。
また、本発明の別態様に係る照明システムは、上記構成において、発光部のそれぞれが半導体発光素子を有し構成された第１発光要素と第２発光要素とを備える。そして、回路部は、ユーザからの指示信号に基づき、第１発光要素と第２発光要素とに対する電力供給路を切り替える切替機能部を備える。
【０００９】
本態様に係る照明システムでは、切替機能部の動作により、次のように光照射がなされる。
（第１発光モード）第１発光要素への電力供給路が閉状態、第２発光要素への電力供給路が開状態となることで、第１領域に対する光照射がなされ、第２領域に対する光照射はなされない。
【００１０】
（第２発光モード）第１発光要素への電力供給路が開状態、第２発光要素への電力供給路が閉状態となることで、第２領域に対する光照射がなされ、第１領域に対する光照射はなされない。
また、本発明の別態様に係る照明システムは、上記構成において、一の筐体が造営面に対する取り付け構造を備える。そして、一の筐体に対する第１発光要素と第２発光要素との取り付け位置が、造営面に沿った方向において異なっている。
【００１１】
また、本発明の別態様に係る照明システムは、上記構成において、一の筐体における第１発光要素の取り付け領域である第１取付領域と、一の筐体における第２発光要素の取り付け領域である第２取付領域とが、造営面における一の筐体の取り付け面に対して、異なった角度を有する。
また、本発明の別態様に係る照明システムは、上記構成において、回路部は、ユーザからの指示信号を受け付け、当該指示信号に基づき、発光部に対して第１領域および第２領域の両領域に対して光を照射させる第３発光モードも実行する。
【００１２】
また、本発明の別態様に係る照明システムは、上記構成において、一の筐体は、造営面に対する取り付け構造を備え、発光部の光出射側がレンズ部材で覆われている。そして、レンズ部材は、造営面に沿った方向において、発光部からの光の一部の進行方向を第１領域に向けて屈折させる第１レンズ領域と、発光部からの光の他の一部の進行方向を第２領域に向けて屈折させる第２レンズ領域と、を備える。
【００１３】
また、本発明の別態様に係る照明システムは、上記構成において、回路部は、壁スイッチを介して、ユーザからの指示信号を受け付ける。
また、本発明の別態様に係る照明システムは、上記構成において、第１領域および第２領域が部屋の床面または側壁面にある。言い換えると、第１発光モードおよび第２発光モードは、ともに間接照明でのモードではなく、主照明でのモードである。
【発明の効果】
【００１４】
上記態様に係る照明システムでは、一の筐体に発光部が取り付けられ、第１発光モードで第１領域に対して光を照射し、第２発光モードで第２領域に対して光を照射する。
従って、上記態様に係る照明システムでは、設置コストの大幅な増加を招くことなく、状況に応じて選択された領域の照明を行うことができる。
【図面の簡単な説明】
【００１５】
【図１】本発明の実施の形態１に係る照明システム１の概略構成を示す模式ブロック図である。
【図２】照明システム１の構成を示す模式側面図である。
【図３】図２における矢印Ａの方向から見た図であって、発光部１０におけるＬＥＤモジュールＡ１０１〜ＬＥＤモジュールＤ１０４の配置形態を示す模式平面図である。
【図４】制御回路１５３が有するテーブルを示す図である。
【図５】制御回路１５３が実行する処理を示すフローチャートである。
【図６】（ａ）は、照明システム１がモード１で点灯している状態を示す模式図であり、（ｂ）は、モード２で点灯している状態を示す模式図である。
【図７】（ａ）は、照明システム１がモード３で点灯している状態を示す模式図であり、（ｂ）は、照明システム１が消灯している状態を示す模式図である。
【図８】（ａ）は、本発明の実施の形態２に係る照明システム５が設けられた室内の状態を示す模式図であり、（ｂ）は、照明システム５に対するユーザの指示入力のためのコントローラ６の概略構成を示す模式画像図である。
【図９】変形例１に係る発光部７０の一部構成を示す模式平面図である。
【図１０】（ａ）〜（ｆ）は、発光部７０を備える照明システムのモード毎の点灯状態を示す模式図である。
【図１１】（ａ）〜（ｆ）は、発光部７０を備える照明システムのモード毎の点灯状態を示す模式図である。
【図１２】変形例２に係る発光部８０の一部構成を示す模式断面図である。
【図１３】従来技術に係る照明システム９１が設けられた室内の状態を示す模式図である。
【発明を実施するための形態】
【００１６】
以下では、本発明を実施するための最良の形態について、数例を示して説明する。なお、以下の説明で用いる形態は、本発明の構成および作用・効果を分かり易く説明するために用いる例であって、本発明は、その本質的な特徴部分以外において、何ら以下の形態に限定を受けるものではない。
［実施の形態１］
１．概略構成
本発明の実施の形態１に係る照明システム１の概略構成について、図１を用い説明する。
【００１７】
図１に示すように、本実施の形態に係る照明システム１は、発光部１０と回路部１５とから構成されており、回路部１５に対して、商用電源３が接続されている。なお、商用電源３と回路部１５との間の電力供給路には、壁スイッチ２が介挿されている。
発光部１０には、４つのＬＥＤモジュールＡ１０１，ＬＥＤモジュールＢ１０２，ＬＥＤモジュールＣ１０３，ＬＥＤモジュールＤ１０４を有する。各ＬＥＤモジュール１０１〜１０４は、半導体発光素子としての複数のＬＥＤ素子を有する。
【００１８】
回路部１５は、整流回路１５１、フィルタ回路１５２、制御回路１５３、およびスイッチング制御回路Ａ１５４、スイッチング制御回路Ｂ１５５、スイッチング制御回路Ｃ１５６、スイッチング制御回路Ｄ１５７を有する。スイッチング制御回路１５４〜１５７は、各ＬＥＤモジュール１０１〜１０４に対応して設けられている。
照明システム１に対するユーザの指示信号は、壁スイッチ２を介して入力される。
【００１９】
回路部１５に入力された交流電力は、整流回路１５１、フィルタ回路１５２を通り、ユーザの指示信号に基づき制御回路１５３が選択する、スイッチング制御回路１５４〜１５７に一部あるいは全部に対して選択的に出力される。そして、ＬＥＤモジュール１０１〜１０４の中からユーザにより選択されたＬＥＤモジュール１０１〜１０４に直流電力が供給される。
【００２０】
なお、本実施の形態では、壁スイッチ２の操作によりユーザの指示を受け付ける構成としている。具体的には、壁スイッチ２へのＯＮ／ＯＦＦ連続操作による電圧変化を制御回路１５３が検出し、これに基づいて、スイッチング制御回路１５４〜１５７の一部あるいは全部へと選択的に電力供給する。これより、選択されたＬＥＤモジュール１０１〜１０４が発光することになる。
【００２１】
２．形態
照明システム１の形態について、図２および図３を用い説明する。
図２に示すように、照明システム１は、一の筐体１１に対して発光部１０および回路部１５が取り付けられている。筐体１１は、Ｚ軸方向上側の断面サイズが小さく、Ｚ軸方向下側の断面サイズが大きい筒形状を有する。発光部１０は、筐体１１のＺ軸方向下側の内部空間１１ｂに収納されている。回路部１５は、筐体１１のＺ軸方向上側の内部空間１１ａに収納されている。
【００２２】
筐体１１のＺ軸方向上側の開口部分は、背面パネル１３で覆われ、Ｚ軸方向下側の開口部分は、前面カバー１２で覆われている。前面カバー１２は、透光性および光拡散性を有する。
なお、照明システム１には、筐体１１内における発光部１０のＺ軸方向下側に配されたレンズ部材１４も有する。レンズ部材１４は、発光部１０から出射された光の配光角度を大きくするために設けられている。
【００２３】
上述のように、発光部１０は、４つのＬＥＤモジュール１０１〜１０４を備える。図３に示すように、発光部１０において、ＬＥＤモジュール１０１〜１０４は、板状の基台１００の上にマトリクス状に配置されている。詳しく説明すると、基台１００上のＸ軸方向左側には、ＬＥＤモジュールＡ１０１とＬＥＤモジュールＢ１０２とが、互いにＹ軸方向に二段に並ぶように配置されている。また、基台１００上のＸ軸方向右側には、ＬＥＤモジュールＣ１０３とＬＥＤモジュールＤ１０４とが、同様に、互いにＹ軸方向に二段に並ぶように配置されている。
【００２４】
なお、基台１００は、発光時におけるＬＥＤモジュール１０１〜１０４から放出される熱の対策として、例えば、アルミニウム合金などの金属材料を用い形成されている。
ここで、図３では図示していないが、レンズ部材１４は、発光部１０におけるＸ軸方向左側の領域１０ａに対応する部分は、紙面手前（Ｚ軸方向）およびＸ軸方向左側に傾きを有する角度となるように、光を屈折させるよう構成されている。
【００２５】
一方、レンズ部材１４において、発光部１０におけるＸ軸方向右側の領域１０ｂに対応する部分は、紙面手前（Ｚ軸方向）およびＸ軸方向右側に傾きを有する角度となるように、光を屈折させるよう構成されている。
各ＬＥＤモジュール１０１〜１０４は、モジュール基板１０１０〜１０４０に対し、複数のＬＥＤ素子１０１１〜１０４１が実装された構成を有する。各ＬＥＤモジュール１０１〜１０４においては、複数のＬＥＤ素子１０１１〜１０４１が直列接続されており、各終端が給電ランド１０１２ａ，１０１２ｂ，１０２２ａ，１０２２ｂ，１０３２ａ，１０３２ｂ，１０４２ａ，１０４２ｂを介して回路部１５（図示を省略。）に接続されている。
【００２６】
なお、詳細な図示を省略しているが、ＬＥＤ素子１０１１〜１０４１は、各々が素子本体と、その光出射側を被覆する封止層とから構成されている。そして、封止層には、素子本体から出射された光の一部について、その波長変換する部材（例えば、蛍光体）を含む。
図３に示すように、基台１００には、各ＬＥＤモジュール１０１〜１０４と回路部１５との接続リードを通すための孔１００ａが開けられている。
【００２７】
３．発光駆動
制御回路１５３が実行する制御処理と照明システム１の発光駆動について、図４〜図７を用い説明する。
図４に示すように、回路部１５における制御回路１５３には、モード１と、モード２と、モード３の各条件に関するテーブルが記憶されている。モード１は、ＬＥＤモジュールＡ１０１〜ＬＥＤモジュールＤ１０４の全てを点灯させる全灯モードである。
【００２８】
モード２は、ＬＥＤモジュールＡ１０１およびＬＥＤモジュールＢ１０２を点灯させるモードである。モード３は、ＬＥＤモジュールＣ１０３およびＬＥＤモジュールＤ１０４を点灯させるモードである。
図５に示すように、ユーザが壁スイッチ２をＯＮにすると、照明システム１はモード１（全灯モード）での発光駆動を開始する（ステップＳ１）。図６（ａ）に示すように、モード１での発光駆動時においては、発光部１０の領域１０ａ，１０ｂから光が出射され、ユーザＨが座っている領域と、表示装置４が配されている領域とを含む、部屋全体の照明がなされる。
【００２９】
図５に戻って、制御回路１５３は、ユーザによる壁スイッチ２のＯＮ／ＯＦＦ連続操作が行われない状態（ステップＳ２；Ｎｏ）であって、ＯＦＦ操作が行われない状態（ステップＳ３；Ｎｏ）では、モード１での駆動を維持させる。
モード１での発光駆動時に、ユーザによる壁スイッチ２のＯＮ／ＯＦＦ連続操作が行われた場合（ステップＳ２；Ｙｅｓ）には、制御回路１５３は、スイッチング制御回路Ａ１５４およびスイッチング制御回路Ｂ１５５への電力供給だけを選択的に行い、モード２での発光駆動を実行させる（ステップＳ４）。図６（ｂ）に示すように、モード２での発光駆動時においては、発光部１０の領域１０ａだけから光が出射され、領域１０ｂからは光が出射されない状態となる。このとき、例えば、ユーザＨが表示装置４のある領域Ｂの周辺に居り、照明システム１は当該領域Ｂだけを選択的に照明する。そして、照明の必要がない部屋内におけるＸ軸方向右側部分への光出射は停止する。
【００３０】
図５に戻って、制御回路１５３は、ユーザによる壁スイッチ２のＯＮ／ＯＦＦ連続操作が行われない状態（ステップＳ５；Ｎｏ）であって、ＯＦＦ操作が行われない状態（ステップＳ６；Ｎｏ）では、モード２での駆動を維持させる。
モード２での発光駆動時に、ユーザによる壁スイッチ２のＯＮ／ＯＦＦ連続操作が行われた場合（ステップＳ５；Ｙｅｓ）には、制御回路１５３は、スイッチング制御回路Ｃ１５６およびスイッチング制御回路Ｄ１５７への電力供給だけを選択的に行い、モード３での発光駆動を実行させる（ステップＳ７）。図７（ａ）に示すように、モード３での発光駆動時においては、発光部１０の領域１０ｂだけから光が出射され、領域１０ａからは光が出射されない状態となる。このとき、例えば、ユーザＨが椅子に腰かけ、シアターモードで表示装置４の画面の画像を見ているような状況において、照明システム１はユーザＨが居る領域Ｃだけを選択的に照明する。そして、表示装置４の設置しているＸ軸方向左側部分への光出射は停止する。
【００３１】
なお、図６（ｂ）および図７（ａ）に示すように、モード３での光照射の対象となる床面における領域Ｃは、その中心位置ＣＬCが、モード２での光照射の対象となる床面における領域Ｂの中心位置ＣＬBに対してＸ軸方向にずれている。言い換えると、領域Ｃの中心位置ＣＬCが領域Ｂの中心位置ＣＬBと異なっている。
図５に戻って、制御回路１５３は、ユーザによる壁スイッチ２のＯＮ／ＯＦＦ連続操作が行われない状態（ステップＳ８；Ｎｏ）であって、ＯＦＦ操作が行われない状態（ステップＳ９；Ｎｏ）では、モード３での駆動を維持させる。
【００３２】
モード３での発光駆動時に、ユーザによる壁スイッチ２のＯＮ／ＯＦＦ連続操作が行われた場合（ステップＳ８；Ｙｅｓ）には、制御回路１５３は、モード１での発光駆動を実行させる（ステップＳ１）。
なお、モード１，２，３の何れの発光駆動時においても、ユーザによるＯＦＦ操作を受け付けた場合（ステップＳ３，Ｓ６，Ｓ９；Ｙｅｓ）には、発光駆動が停止され、図７（ｂ）に示すように消灯される（エンド）。
【００３３】
４．効果
本実施の形態に係る照明システム１では、一の筐体１１に発光部１０が取り付けられ、モード２で領域Ｂに対して光を照射し、モード３で領域Ｃ（中心位置ＣＬCが領域Ｂと異なる。）に対して光を照射する。よって、照明システム１では、設置コストの大幅な増加を招くことなく、状況に応じて選択された領域の照明を行うことができる。
【００３４】
また、本実施の形態に係る照明システム１では、ユーザの指示入力を既存の壁スイッチ２を用いることとしているので、設置コストの増加を更に抑えることができる。
［実施の形態２］
本発明の実施の形態２に係る照明システム５、およびそのコントローラ６の構成について、図８を用い説明する。
【００３５】
図８（ａ）に示すように、本実施の形態に係る照明システム５についても、部屋の天井（造営面）に取り付けられている。照明システム５においても、その発光部が領域５０ａと領域５０ｂとを有し構成されている。発光部の構成については、上記実施の形態１に係る発光部１０と同様であり、各領域５０ａ，５０ｂの構成についても同様である。
ここで、本実施の形態においては、照明システム５に対しては、コントローラ６を介して、ユーザからの指示が入力されるようになっている。コントローラ６は、例えば、赤外線を用いた信号伝達を実行できるものである。なお、ネットワークを介した信号伝達を行う場合には、例えば、携帯電話機（モバイルフォン）などのモバイル機器をコントローラの代わりに用いることなども可能である。
【００３６】
図８（ｂ）に示すように、コントローラ６は、筐体であるコントローラ本体部６１を有する。コントローラ本体部６１の一方端の部分には、赤外線を出射する送信部６２が設けられている。また、コントローラ本体部６１の一方の主面には、タッチパネル部６３が設けられている。
タッチパネル部６３には、部屋内における光照射エリアを選択するための領域６３ａと、明るさを選択するための領域６３ｂと、ＯＮ／ＯＦＦに係る領域６３ｃとが設けられている。エリアを選択するための領域６３ａには、例えば、発光部の領域５０ａ，５０ｂを両方点灯させる「エリア１＆２」、領域５０ａだけを点灯させる「エリア１」、領域５０ｂだけを点灯させる「エリア２」の３つの選択肢が提示されている。
【００３７】
明るさを選択するための領域６３ｂには、５段階の明るさを選択できるようになっている。領域６３ｃには、「点灯」と「消灯」とが示されている。
なお、図示を省略しているが、ユーザは、コントローラ６に対して、自己がよく使うモードの組み合わせについて記憶させておくこと等もできる。例えば、シアターモードでの表示装置の鑑賞などを考慮して、「エリア２」と「明るさ３」との組み合わせを予め記憶させておくこと等ができる。また、仕事等の場合を考慮して、「エリア１＆２」と「明るさ５」との組み合わせを予め記憶させておくこと等もできる。
【００３８】
以上のような構成を有する照明システム５およびコントローラ６では、空間照明に関するユーザの細かな要望を満足させることができる。そして、上記実施の形態１と同様に、一の筐体に取り付けられた発光部により、状況に応じて選択された領域の照明を行うことができる。これより、システム構築のためのコスト増加を抑制することができる。
［変形例１］
変形例１に係る発光部７０の構成、および発光駆動に係るモードについて、図９〜図１１を用い説明する。なお、上記実施の形態１，２の各システムと共通の部分については、図示および説明を省略する。
【００３９】
図９に示すように、本変形例に係る発光部７０は、平面視において略円形の外観形状を有する。発光部７０は、基台７００の一方の主面に対して取り付けられた８つのＬＥＤモジュール７０１〜７０８を備える。
各ＬＥＤモジュール７０１〜７０８は、上記実施の形態１に係るＬＥＤモジュール１０１〜１０４と同様に、複数のＬＥＤ素子を有する（図示を省略）。
【００４０】
なお、図示を省略しているが、本変形例に係る発光部７０に接続される回路部においては、その制御回路が、ユーザからの指示信号に基づいてＬＥＤモジュール７０１〜７０８を選択的に発光駆動する。次に、発光駆動の形態について、説明する。
《モード１》  図１０（ａ）に示すように、発光部７０を備える照明システムでのモード１は、ＬＥＤモジュール７０１〜７０８の全てを発光駆動する、所謂、全点灯モードである。これより、床面および側壁面を含む部屋内の全ての箇所に光を照射できる。
【００４１】
《モード２》  図１０（ｂ）に示すように、モード２では、ＬＥＤモジュール７０１〜７０４だけが発光駆動し、ＬＥＤモジュール７０５〜７０８は消灯している。このようにモード２で発光駆動した場合には、照明システムが設けられた空間のうち、その中央領域から矢印Ｄ1の側の領域に向けて光を照射できる。
《モード３》  図１０（ｃ）に示すように、モード３では、ＬＥＤモジュール７０５〜７０８だけが発光駆動し、ＬＥＤモジュール７０１〜７０４は消灯している。モード３で発光駆動した場合には、照明システムが設けられた空間のうち、その中央領域から矢印Ｄ2の側の領域に向けて光を照射できる。
【００４２】
《モード４》  図１０（ｄ）に示すように、モード４では、ＬＥＤモジュール７０２，７０３とＬＥＤモジュール７０６，７０７とが発光駆動し、ＬＥＤモジュール７０１，７０８とＬＥＤモジュール７０４，７０５とが消灯している。モード４で発光駆動した場合には、矢印Ｄ1および矢印Ｄ2の側の領域に向けて光を照射でき、Ｙ軸方向の上下に対しては光照射が行われない。
【００４３】
《モード５》  図１０（ｅ）に示すように、モード５では、ＬＥＤモジュール７０２，７０３だけが発光駆動し、残りのＬＥＤモジュール７０１，７０４〜７０８は消灯している。モード５で発光駆動した場合には、図１０（ｂ）に示すモード２での発光駆動に比べて、Ｙ軸方向の広がりの少ない光照射を実行することができる。
《モード６》  図１０（ｆ）に示すように、モード６では、ＬＥＤモジュール７０６，７０７だけが発光駆動し、残りのＬＥＤモジュール７０１〜７０５，７０８は消灯している。モード６で発光駆動した場合には、図１０（ｃ）に示すモード３での発光駆動に比べて、Ｙ軸方向の広がりの少ない光照射を実行することができる。
【００４４】
《モード７》  図１１（ａ）に示すように、モード７では、ＬＥＤモジュール７０１，７０８とＬＥＤモジュール７０４，７０５とが発光駆動し、ＬＥＤモジュール７０２，７０３とＬＥＤモジュール７０６，７０７とが消灯している。モード７で発光駆動した場合には、矢印Ｄ3および矢印Ｄ4の側の領域に向けて光を照射でき、Ｘ軸方向の左右に対しては光照射が行われない。
【００４５】
《モード８》  図１１（ｂ）に示すように、モード８では、ＬＥＤモジュール７０１，７０８が発光駆動し、残りのＬＥＤモジュール７０２〜７０７が消灯している。モード８で発光駆動した場合には、矢印Ｄ3の側の領域だけに向けて光を照射でき、残りの領域に対しては光照射が行われない。
《モード９》  図１１（ｃ）に示すように、モード９では、ＬＥＤモジュール７０４，７０５が発光駆動し、残りのＬＥＤモジュール７０１〜７０３，７０６〜７０８が消灯している。モード９で発光駆動した場合には、矢印Ｄ4の側の領域だけに向けて光を照射でき、残りの領域に対しては光照射が行われない。
【００４６】
《モード１０》  図１１（ｄ）に示すように、モード１０では、ＬＥＤモジュール７０２とＬＥＤモジュール７０６とが発光駆動し、残りのＬＥＤモジュール７０１，７０３〜７０５，７０７，７０８が消灯している。モード１０で発光駆動した場合には、矢印Ｄ5および矢印Ｄ6の側の領域に向けて光を照射でき、残りの領域に対しては光照射が行われない。
【００４７】
なお、モード１０で発光駆動した場合には、図１０（ｄ）に示すモード４で発光駆動した場合に比べて、小さな領域に対して光照射することができる。
《モード１１》  図１１（ｅ）に示すように、モード１１では、ＬＥＤモジュール７０４とＬＥＤモジュール７０８とが発光駆動し、残りのＬＥＤモジュール７０１〜７０３，７０５〜７０７が消灯している。モード１１で発光駆動した場合には、矢印Ｄ7および矢印Ｄ8の側の領域に向けて光を照射でき、残りの領域に対しては光照射が行われない。
【００４８】
《モード１２》  図１１（ｆ）に示すように、モード１２では、ＬＥＤモジュール７０２だけが発光駆動し、残りのＬＥＤモジュール７０１，７０３〜７０７が消灯している。モード１２で発光駆動した場合には、矢印Ｄ5の側の領域に絞って光を照射することができる。
以上のような発光モードを実行できる照明システムでは、ユーザの行動やニーズに合わせて発光モードを適宜選択することができる。よって、一の筐体を備える照明システムにより、異なった領域の照明を行うことができる。また、本変形例のような構成を採用すれば、更に詳細に光照射領域を選択することができるようになり、ユーザおよび周囲の環境等に適した照明を実行することが可能となる。
【００４９】
なお、上記では、一例として１２のモードを備える照明システムとしたが、これに限定を受けるものではない。ＬＥＤモジュール７０１〜７０８のそれぞれに対して、ユーザの指示信号に応じて選択的に発光駆動できるシステムとすることもできる。
また、ユーザは、発光駆動させるＬＥＤモジュール７０１〜７０８と、その全光束などの組み合わせについて、予め一または複数のモードを「お気に入りモード」として回路部に記憶させておくこともできる。このような構成とすれば、ユーザは、度々、詳細なモード設定を行う必要がなく、予め記憶させた複数の「お気に入りモード」の中から選択すればよい。
【００５０】
勿論、スマートフォンなどの情報端末に「お気に入り設定」を行い、照明システムを起動する際に、その情報端末から照明システムの回路部に対して発光駆動のモードに関する情報を送信することとしてもよい。
［変形例２］
変形例２に係る発光部８０の構成について、図１２を用い説明する。なお、以下においても、上記実施の形態１，２の各システムと共通の部分については図示および説明を省略する。
【００５１】
図１２に示すように、本変形例に係る発光部８０は、逆台形状の断面形状を有する基台８００と、基台８００のＺ軸方向下側の主面に取り付けられたＬＥＤモジュール８０１〜８０４とを有し構成されている。
基台８００は、Ｚ軸方向上側の主面が天井への取り付け面であり、略平面となり、取り付け時において天井に沿う。
【００５２】
一方、基台８００のＺ軸方向下側の主面は、取り付け時において天井に沿う第１取付領域８００ａと、第１取付領域８００ａに対して傾いた斜面である第２取付領域８００ｂ、８００ｃとを有してなる。
第１取付領域８００ａに対しては、ＬＥＤモジュールＡ８０１とＬＥＤモジュールＢ８０２とが取り付けられている。第２取付領域８００ｂには、ＬＥＤモジュールＣ８０３が取り付けられ、第２取付領域８００ｃには、ＬＥＤモジュールＤ８０４が取り付けられている。
【００５３】
このような構成の発光部を備える照明システムでは、ＬＥＤモジュール８０３，８０４が天井に対して角度を以って取り付けられていることになるので、より広範な領域の照明を実行することができる。例えば、ＬＥＤモジュール８０３を発光駆動する場合には、上記実施の形態１の照明システム１と比べて、Ｘ軸方向左側のより広い領域に光照射することができる。ＬＥＤモジュール８０４を発光駆動する場合には、Ｘ軸方向右側のより広い領域に光照射することができる。
【００５４】
本変形例に係る照明システムでは、ユーザの指示に基づいて、部屋の隅々まで照明することが可能であって、高い利便性も備える。
なお、本変形例に係る発光部８０の光出射側にレンズ部材を配置しておけば、さらに光の拡散効果を得ることや、逆に集光することなどもできる。また、ＬＥＤモジュール８０１，８０２を覆うレンズ部分については、直進性をそのまま維持し、ＬＥＤモジュール８０３，８０４を覆うレンズ部分については、高い光拡散性を有することとすること等もできる。
【００５５】
［その他の事項］
上記実施の形態１に係る照明システム１では、発光部１０の平面形状を矩形とし、変形例１に係る発光部７０は、平面形状を円形としたが、本発明は、これに限定されるものではない。例えば、平面視で楕円形状や長円形状、あるいは５角以上の多角形とすること等も可能である。
【００５６】
また、上記実施の形態１に係る照明システム１では、発光部１０のサイズを天井サイズよりも小さいものとしたが、発光部１０のサイズについては、これに限定されるものではない。例えば、天井と同じサイズの発光部を備える照明システムとすることもできる。
上記実施の形態１，２および変形例１，２では、各ＬＥＤモジュール１０１〜１０４，７０１〜７０８，８０１〜８０４が出射する光の波長については特に言及はしなかったが、種々の波長域の光を出射するモジュールを採用することができる。また、一の発光部に備えられる複数のＬＥＤモジュールが、互いに異なる波長域の光を出射することとすることも可能である。
【００５７】
本発明では、時刻に合わせて光照射領域を適宜選択するシステムとすることもできる。具体例としては、夕方などでは全灯モードを実行し、深夜などでは椅子やテーブルのある領域だけを照らすモードを実行するようにすることもできる。
また、回路部にカレンダータイマを備え、季節によって適切となる時刻に該当領域を照らすようにすること等もできる。例えば、季節が夏の場合においては、夜の遅い時間まで全灯モードを実行し、季節が冬の場合には、夜の速い時間から一部領域だけを照らすモードを実行すること等もできる。
【００５８】
また、上記実施の形態２では、赤外線を信号伝達のために用いたが、信号伝達方法はこれに限られるものではない。例えば、無線方式や、ネットワークを介した方法とすることもできる。
また、上記実施の形態１，２および変形例１，２では、半導体発光素子の一例としてＬＥＤ素子を採用したが、本発明はこれに限られるものではない。例えば、無機ＥＬ素子や有機ＥＬ素子、さらには半導体レーザや発光トランジスタなどを採用すること等も可能である。
【００５９】
また、上記実施の形態１，２および変形例１，２では、部屋の床面および側壁面に対して光を照射するための構成を示したが、これに天井に光を照射する間接照明部を付け加えることもできる。
【符号の説明】
【００６０】
１，５．照明システム
２．壁スイッチ
３．商用電源
４．表示装置
６．コントローラ
１０，７０，８０．発光部
１１，７００，８００．筐体
１２．前面カバー
１３．背面パネル
１４．レンズ部材
１５．回路部
６１．コントローラ本体部
６２．送信部
６３．タッチパネル部
１００，７００，８００．基台
１０１，７０１，８０１．ＬＥＤモジュールＡ
１０２，７０２，８０２．ＬＥＤモジュールＢ
１０３，７０３，８０３．ＬＥＤモジュールＣ
１０４，７０４，８０４．ＬＥＤモジュールＤ
１５１．整流回路
１５２．フィルタ回路
１５３．制御回路
１５４．スイッチング制御回路Ａ
１５５．スイッチング制御回路Ｂ
１５６．スイッチング制御回路Ｃ
１５７．スイッチング制御回路Ｄ
７０５．ＬＥＤモジュールＥ
７０６．ＬＥＤモジュールＦ
７０７．ＬＥＤモジュールＧ
７０８．ＬＥＤモジュールＨ
１０１０，１０２０，１０３０，１０４０．モジュール基板
１０１１，１０２１，１０３１，１０４１．ＬＥＤ素子
１０１２ａ，１０１２ｂ，１０２２ａ，１０２２ｂ，１０３２ａ，１０３２ｂ，１０４２ａ，１０４２ｂ．給電ランド
【図１】
2015138708.tif 000003
【図２】
2015138708.tif 000004
【図３】
2015138708.tif 000005
【図４】
2015138708.tif 000006
【図５】
2015138708.tif 000007
【図６】
2015138708.tif 000008
【図７】
2015138708.tif 000009
【図８】
2015138708.tif 000010
【図９】
2015138708.tif 000011
【図１０】
2015138708.tif 000012
【図１１】
2015138708.tif 000013
【図１２】
2015138708.tif 000014
【図１３】
2015138708.tif 000015